(57)【要約】【課題】デジタル画像データの再利用性を向上させる。【解決手段】原稿を読み取り電子化した画像データを得る画像読み取り手段と、転写紙に画像データを印字する画像書き込み手段と、画像データおよび画像データの付帯情報を蓄積する記憶手段と、外部装置と画像データおよび画像データの付帯情報を送受する外部Ｉ／Ｆ手段と、画像読み取り手段からの画像データを処理する第１の画像データ処理手段と、記憶手段もしくは外部Ｉ／Ｆ手段からの画像データを処理する第２の画像データ処理手段と、各手段を接続するバス制御手段とを備える画像処理装置であって、第１の画像データ処理手段は、画像読み取り手段から入力された画像データを、画像書き込み手段と外部装置の両方に利用可能となるように画像データの性質を統一する処理を行い、性質を統一した画像データを記憶手段に蓄積し、第２の画像データ処理手段は、画像書き込み手段および外部Ｉ／Ｆ手段への出力に適する性質に画像データを処理する。【選択図】図１
2008048046.tif 000002
【特許請求の範囲】
【請求項１】
原稿を読み取り電子化した画像データを得る画像読み取り手段と、
転写紙に画像データを印字する画像書き込み手段と、
画像データおよび画像データの付帯情報を蓄積する記憶手段と、
外部装置と画像データおよび画像データの付帯情報を送受する外部Ｉ／Ｆ手段と、
前記画像読み取り手段からの画像データを処理する第１の画像データ処理手段と、
前記記憶手段もしくは前記外部Ｉ／Ｆ手段からの画像データを処理する第２の画像データ処理手段と、
前記各手段を接続するバス制御手段とを備える画像処理装置であって、
前記第１の画像データ処理手段は、前記画像読み取り手段から入力された画像データを、前記画像書き込み手段と前記外部装置の両方に利用可能となるように画像データの性質を統一する処理を行い、性質を統一した画像データを前記記憶手段に蓄積し、
前記第２の画像データ処理手段は、前記画像書き込み手段および前記外部Ｉ／Ｆ手段への出力に適する性質に画像データを処理することにより、
前記記憶手段に蓄積した画像データを前記画像書き込み手段と前記外部装置のどちらにも再利用可能とすることを特徴とする画像処理装置。
【請求項２】
請求項１に記載の画像処理装置において、
前記第１の画像データ処理手段は、前記記憶手段に蓄積した画像データを前記画像書き込み手段または前記外部装置に出力する際に出力時の設定変更が可能となるように、前記画像読み取り手段から入力された画像の性質を統一することにより、
前記記憶手段に蓄積した画像データを前記画像書き込み手段または前記外部装置に出力する際に、出力時の設定を変更して再利用可能とすることを特徴とする画像処理装置。
【請求項３】
請求項１に記載の画像処理装置において、
前記第２の画像データ処理手段は、
前記外部Ｉ／Ｆ手段から入力された画像データを、前記画像書き込み手段と前記外部装置の両方に利用可能となるように画像データの性質を統一する処理を行い、性質を統一した画像データを前記記憶手段に蓄積し、
前記画像書き込み手段および前記外部Ｉ／Ｆ手段への出力に適する性質に画像データを処理することにより、
前記記憶手段に蓄積した画像データを前記画像書き込み手段と前記外部装置のどちらにも再利用可能とすることを特徴とする画像処理装置。
【請求項４】
請求項３に記載の画像処理装置において、
前記第２の画像データ処理手段は、前記記憶手段に蓄積した画像データを前記画像書き込み手段または前記外部装置に出力する際に出力時の設定変更が可能となるように、前記外部Ｉ／Ｆ手段から入力された画像の性質を統一することにより、
前記記憶手段に蓄積した画像データを前記画像書き込み手段または前記外部装置に出力する際に、出力時の設定を変更して再利用可能とすることを特徴とする画像処理装置。
【請求項５】
請求項１または２に記載の画像処理装置において、
前記第１の画像データ処理手段は、ユーザが読み取った原稿の画像データを前記記憶手段に保存し再利用する場合に、原稿入力時に出力時の画質モードが指定されている場合においても、前記画像書き込み手段および前記外部装置に再度出力する際に画質モードの設定変更が可能となるように、前記画像読み取り手段から入力された画像データの画像品質を統一することを特徴とする画像処理装置。
【請求項６】
請求項３または４に記載の画像処理装置において、
前記第２の画像データ処理手段は、ユーザが前記外部Ｉ／Ｆ手段から入力した画像データを前記記憶手段に保存し再利用する場合に、画像データ入力時に出力時の画質モードが指定されている場合においても、前記画像書き込み手段および前記外部装置に再度出力する際に画質モードの設定変更が可能となるように、前記外部Ｉ／Ｆ手段から入力された画像データの画像品質を統一することを特徴とする画像処理装置。
【請求項７】
請求項１または２に記載の画像処理装置において、
前記第１の画像データ処理手段は、ユーザが読み取った原稿の画像データを前記記憶手段に保存し再利用しない場合に、出力時の画質モードの指定に従って画像データの性質を変換することを特徴とする画像処理装置。
【請求項８】
請求項３または４に記載の画像処理装置において、
前記第２の画像データ処理手段は、ユーザが前記外部Ｉ／Ｆ手段から入力した画像データを前記記憶手段に保存し再利用しない場合に、出力時の画質モードの指定に従って画像データの性質を変換することを特徴とする画像処理装置。
【請求項９】
原稿を読み取り電子化した画像データを得る画像読み取り工程と、
転写紙に画像データを印字する画像書き込み工程と、
画像データおよび画像データの付帯情報を蓄積する記憶工程と、
外部装置と画像データおよび画像データの付帯情報を送受する外部Ｉ／Ｆ工程と、
前記画像読み取り工程からの画像データを処理する第１の画像データ処理工程と、
前記記憶工程もしくは前記外部Ｉ／Ｆ工程からの画像データを処理する第２の画像データ処理工程と、
前記各工程のデータを交換するバス制御工程とを備える画像処理方法であって、
前記第１の画像データ処理工程は、前記画像読み取り工程から入力された画像データを、前記画像書き込み工程と前記外部装置の両方に利用可能となるように画像データの性質を統一する処理を行い、性質を統一した画像データを前記記憶工程で蓄積し、
前記第２の画像データ処理工程は、前記画像書き込み工程および前記外部Ｉ／Ｆ工程への出力に適する性質に画像データを処理することにより、
前記記憶工程で蓄積した画像データを前記画像書き込み工程と前記外部装置のどちらにも再利用可能とすることを特徴とする画像処理方法。
【発明の詳細な説明】
【技術分野】
【０００１】
本発明は、複写機、ファクシミリ、プリンタ、スキャナ等の機能を複合したデジタル複合機（ＭＦＰ：Multi Function Printer）等の画像処理装置に関する。
【背景技術】
【０００２】
ＣＣＤ光電変換素子からなるラインセンサを用いた読み取り装置や、レーザ照射によるトナー書き込み装置の発展により、アナログ複写機からデジタル化された画像データにてコピーを作成するデジタル複写機が登場した。
【０００３】
デジタル複写機となってからは、デジタル画像データを扱う他の装置との親和性が高まり、複写機としての機能だけでなく、ファクシミリ機能、プリンタ機能、スキャナ機能等、いろいろな機能と複合し、単なるデジタル複写機ではなく、デジタル複合機（ＭＦＰ）と呼ばれるようになった。
【０００４】
ＨＤＤドライブ等のメモリ大容量化・低コスト化、ネットワーク等の通信技術の高速化や普及、ＣＰＵの処理能力の向上、デジタル画像データに関連する技術（圧縮技術等）等々、ＭＦＰに関連する技術の進化に伴い、ＭＦＰに搭載される機能も多種・多様化してきている。
【０００５】
ＭＦＰの使われ方も多種・多様化してきている。例えば、ＰＣの横にペアで設置され、操作者が手軽に複写機・ファクシミリ・プリンタ・スキャナの機能を使用することができる小型ＭＦＰがある。また、部署や課単位の複数名で共有され、ある程度の生産性やソート・パンチ・ステープル等の機能が使用できる中型ＭＦＰがある。更に、企業の中で複写関連業務を集中して行う部署、もしくは複写関連業務そのものを生業とする会社では、高生産性・高品位で多機能な大型ＭＦＰが使用されている。
【０００６】
小型〜大型まで多様化してきているＭＦＰであるが、各クラスに亘って共有できる機能も存在するが、クラスごとに要求が強い機能も存在する。例えば、大型ＭＦＰではパンチ・ステープル・紙折り等、プロット後の紙に対する後加工や、複写業務と同時に電子ファイリング化すること等が求められ、小型ＭＦＰではインターネットＦＡＸやＰＣ−ＦＡＸ等の充実や、パーソナル的な使用目的として、専用紙に対する高品位画像印刷等が求められる。
【０００７】
このように多種・多様化してきているＭＦＰ市場に対して、従来は各クラスに必要な機能をセットにしたシステムを構築し、販売・提供していた。
【０００８】
ビジネスにおける情報価値の重要性は既に認知されており、情報を早く・正確に・確実に伝えるだけでなく、分かりやすく・効果的に伝えることも要求されている。通信技術の高速化／普及化・メモリの大容量化／低コスト化／小型化・ＰＣの高性能化にともない、デジタルデータを利用した情報を効率的に扱う新しい機能が提供されてきており、デジタルデータの一部であるデジタル画像データを扱うＭＦＰにも、新機能の提供や融合が望まれてきている。
【特許文献１】特開２００２−１１１９８８号公報
【特許文献２】特開２００３−２２４７１６号公報
【発明の開示】
【発明が解決しようとする課題】
【０００９】
メモリ大容量化・低コスト化と、紙原稿をデジタル画像データにするＭＦＰが有する機能が融合進化し、近年、ＭＦＰ内部にデジタル画像データを蓄積・保存しておき、その情報が必要になった場合に、再出力する使われ方が増えてきている。
【００１０】
ＭＦＰ内部に蓄積・保存しておいたデジタル画像データを再度出力する場合、データの蓄積・保存時から時間が経過していることが多く、その間に再出力操作者の状況、すなわち要求・ニーズが変化することが多くなっており、その要求・ニーズの変化に対応できないという問題・課題が発生してきた。
【００１１】
例えば、コピー機能を使用したときにＭＦＰ内部に保存したデジタル画像データを、後にファックス送信したい場合に、そういう使い方ができなかったり、できたとしても画質が大きく異なってしまったり、生産性が著しく落ちてしまったりする課題が挙げられる。
【００１２】
また、コピー機能を使用したときに、Ａ４原稿２枚をＡ４転写紙１枚に集約しながらＭＦＰ内部に保存した画像データを、後からＡ４原稿２枚をＡ４転写紙２枚にプロット出力したい場合に、そういう使い方ができなかったり、できたとしても画質が大きく異なってしまったり、生産性が著しく落ちてしまったりする課題が挙げられる。
【００１３】
一方、特許文献１では、蓄積・保存した画像データに対し、画像処理を行う第２の画像処理手段を設けることが知られているが、第２の画像処理手段を設けることによる処理速度向上を目的とし、蓄積した画像データの再利用方法に関しては述べられていない。
【００１４】
また、特許文献２では、蓄積・保存した画像データを他の機械で同じように出力する場合、蓄積・保存した画像データを他の機械に出力する際に予め定められた特性に補正するようにしている。しかし、この構成では蓄積後に補正が行われるため、蓄積した画像データのやり取りを行う場合の効率（処理速度）がよくないという課題が挙げられる。また、機械間の個体差によるバラツキを押さえる補正を目的としているため、出力先の変更（コピー機能→ファックス送信機能）等、再出力時の要求変更に関しては課題を有する。
【００１５】
本発明は上記の従来の問題点に鑑み提案されたものであり、その目的とするところは、デジタル画像データの再利用性を向上させることのできる画像処理装置を提供することにある。
【課題を解決するための手段】
【００１６】
上記の課題を解決するため、本発明にあっては、請求項１に記載されるように、原稿を読み取り電子化した画像データを得る画像読み取り手段と、転写紙に画像データを印字する画像書き込み手段と、画像データおよび画像データの付帯情報を蓄積する記憶手段と、外部装置と画像データおよび画像データの付帯情報を送受する外部Ｉ／Ｆ手段と、前記画像読み取り手段からの画像データを処理する第１の画像データ処理手段と、前記記憶手段もしくは前記外部Ｉ／Ｆ手段からの画像データを処理する第２の画像データ処理手段と、前記各手段を接続するバス制御手段とを備える画像処理装置であって、前記第１の画像データ処理手段は、前記画像読み取り手段から入力された画像データを、前記画像書き込み手段と前記外部装置の両方に利用可能となるように画像データの性質を統一する処理を行い、性質を統一した画像データを前記記憶手段に蓄積し、前記第２の画像データ処理手段は、前記画像書き込み手段および前記外部Ｉ／Ｆ手段への出力に適する性質に画像データを処理することにより、前記記憶手段に蓄積した画像データを前記画像書き込み手段と前記外部装置のどちらにも再利用可能とする画像処理装置を要旨としている。
【００１７】
また、請求項２に記載されるように、請求項１に記載の画像処理装置において、前記第１の画像データ処理手段は、前記記憶手段に蓄積した画像データを前記画像書き込み手段または前記外部装置に出力する際に出力時の設定変更が可能となるように、前記画像読み取り手段から入力された画像の性質を統一することにより、前記記憶手段に蓄積した画像データを前記画像書き込み手段または前記外部装置に出力する際に、出力時の設定を変更して再利用可能とするようにすることができる。
【００１８】
また、請求項３に記載されるように、請求項１に記載の画像処理装置において、前記第２の画像データ処理手段は、前記外部Ｉ／Ｆ手段から入力された画像データを、前記画像書き込み手段と前記外部装置の両方に利用可能となるように画像データの性質を統一する処理を行い、性質を統一した画像データを前記記憶手段に蓄積し、前記画像書き込み手段および前記外部Ｉ／Ｆ手段への出力に適する性質に画像データを処理することにより、前記記憶手段に蓄積した画像データを前記画像書き込み手段と前記外部装置のどちらにも再利用可能とするようにすることができる。
【００１９】
また、請求項４に記載されるように、請求項３に記載の画像処理装置において、前記第２の画像データ処理手段は、前記記憶手段に蓄積した画像データを前記画像書き込み手段または前記外部装置に出力する際に出力時の設定変更が可能となるように、前記外部Ｉ／Ｆ手段から入力された画像の性質を統一することにより、前記記憶手段に蓄積した画像データを前記画像書き込み手段または前記外部装置に出力する際に、出力時の設定を変更して再利用可能とするようにすることができる。
【００２０】
また、請求項５に記載されるように、請求項１または２に記載の画像処理装置において、前記第１の画像データ処理手段は、ユーザが読み取った原稿の画像データを前記記憶手段に保存し再利用する場合に、原稿入力時に出力時の画質モードが指定されている場合においても、前記画像書き込み手段および前記外部装置に再度出力する際に画質モードの設定変更が可能となるように、前記画像読み取り手段から入力された画像データの画像品質を統一するようにすることができる。
【００２１】
また、請求項６に記載されるように、請求項３または４に記載の画像処理装置において、前記第２の画像データ処理手段は、ユーザが前記外部Ｉ／Ｆ手段から入力した画像データを前記記憶手段に保存し再利用する場合に、画像データ入力時に出力時の画質モードが指定されている場合においても、前記画像書き込み手段および前記外部装置に再度出力する際に画質モードの設定変更が可能となるように、前記外部Ｉ／Ｆ手段から入力された画像データの画像品質を統一するようにすることができる。
【００２２】
また、請求項７に記載されるように、請求項１または２に記載の画像処理装置において、前記第１の画像データ処理手段は、ユーザが読み取った原稿の画像データを前記記憶手段に保存し再利用しない場合に、出力時の画質モードの指定に従って画像データの性質を変換するようにすることができる。
【００２３】
また、請求項８に記載されるように、請求項３または４に記載の画像処理装置において、前記第２の画像データ処理手段は、ユーザが前記外部Ｉ／Ｆ手段から入力した画像データを前記記憶手段に保存し再利用しない場合に、出力時の画質モードの指定に従って画像データの性質を変換するようにすることができる。
【００２４】
また、請求項９に記載されるように、原稿を読み取り電子化した画像データを得る画像読み取り工程と、転写紙に画像データを印字する画像書き込み工程と、画像データおよび画像データの付帯情報を蓄積する記憶工程と、外部装置と画像データおよび画像データの付帯情報を送受する外部Ｉ／Ｆ工程と、前記画像読み取り工程からの画像データを処理する第１の画像データ処理工程と、前記記憶工程もしくは前記外部Ｉ／Ｆ工程からの画像データを処理する第２の画像データ処理工程と、前記各工程のデータを交換するバス制御工程とを備える画像処理方法であって、前記第１の画像データ処理工程は、前記画像読み取り工程から入力された画像データを、前記画像書き込み工程と前記外部装置の両方に利用可能となるように画像データの性質を統一する処理を行い、性質を統一した画像データを前記記憶工程で蓄積し、前記第２の画像データ処理工程は、前記画像書き込み工程および前記外部Ｉ／Ｆ工程への出力に適する性質に画像データを処理することにより、前記記憶工程で蓄積した画像データを前記画像書き込み工程と前記外部装置のどちらにも再利用可能とする画像処理方法として構成することができる。
【発明の効果】
【００２５】
本発明の画像処理装置にあっては、画像読み取り手段から入力された画像データを、画像書き込み手段と外部装置の両方に利用可能となるように画像データの性質を統一する処理を行い、性質を統一した画像データを記憶手段に蓄積し、画像書き込み手段および外部Ｉ／Ｆ手段への出力に適する性質に画像データを処理することにより、記憶手段に蓄積した画像データを画像書き込み手段と外部装置のどちらにも再利用可能とすることができ、デジタル画像データの再利用性を向上させることができる。
【発明を実施するための最良の形態】
【００２６】
以下、本発明の好適な実施形態につき説明する。
【００２７】
＜システム構成＞
図１は本発明の一実施形態にかかるデジタル画像処理装置１００の構成例を示す図である。
【００２８】
図１において、デジタル画像処理装置１００は、読み取り装置１と第１画像データ処理装置２とバス制御装置３と第２画像データ処理装置４とＨＤＤ５とＣＰＵ６とメモリ７とプロッタＩ／Ｆ装置８とプロッタ装置９と操作表示装置１０と回線Ｉ／Ｆ装置１１と外部Ｉ／Ｆ装置１２とＳＢ１３とＲＯＭ１４とを備えている。また、デジタル画像処理装置１００には外部のＦＡＸ１５、ＰＣ１６、外部メディア１７が接続可能となっている。
【００２９】
読み取り装置１はＣＣＤ光電変換素子からなるラインセンサとＡ／Ｄコンバータとそれら駆動回路を具備し、セットされた原稿をスキャンすることで得る原稿の濃淡情報から、ＲＧＢ各８ビットのデジタル画像データを生成し出力する。
【００３０】
第１画像データ処理装置２は、読み取り装置１からのデジタル画像データに対し、予め定めた特性に統一する処理を施して出力する。統一する特性は、画像データをデジタル画像処理装置１００内部に蓄積し、その後再利用する場合に、出力先の変更に適する特性とする。その詳細は後述する。
【００３１】
バス制御装置３は、デジタル画像処理装置１００内で必要な画像データや制御コマンド等の各種データのやり取りを行うデータバスの制御装置であり、複数種のバス規格間のブリッジ機能も有している。本実施例では、第１画像データ処理装置２、第２画像データ処理装置４、ＣＰＵ６とはＰＣＩ−Ｅｘｐｒｅｓｓバス、ＨＤＤ５とはＡＴＡバスで接続し、ＡＳＩＣ化している。
【００３２】
第２画像データ処理装置４は、第１画像データ処理装置２で予め定めた特性に統一されたデジタル画像データに対し、ユーザから指定される出力先に適した画像処理を施し出力する。その詳細は後述する。
【００３３】
ＨＤＤ５は、デスクトップパソコンにも使用されている電子データを保存するための大型の記憶装置で、本デジタル画像処理装置１００内では主にデジタル画像データおよびデジタル画像データの付帯情報を蓄積する。また、本実施例ではＩＤＥを拡張して規格化されているＡＴＡバス接続のハードディスクを使用する。
【００３４】
ＣＰＵ６は、本デジタル画像処理装置１００の制御全体を司るマイクロプロセッサである。また、本実施例では近年普及してきたＣＰＵコア単体に＋αの機能を追加したＩｎｔｅｇｒａｔｅｄ  ＣＰＵを使用した。本実施例ではＰＭＣ社のＲＭ１１１００で、汎用規格Ｉ／Ｆとの接続機能や、クロスバースイッチを使ったこれらバス接続機能がインテグレートされたＣＰＵを使用する。
【００３５】
メモリ７は、複数種のバス規格間をブリッジする際の速度差や、接続された部品自体の処理速度差を吸収するために、一時的にやりとりするデータの記憶や、ＣＰＵ６が本デジタル画像処理装置１００の制御動作を行う際に、プログラムや中間処理データを一時的に記憶する揮発性メモリである。ＣＰＵ６には高速処理を求められるため、通常起動時にＲＯＭ１４に記憶されたブートプログラムにてシステムを起動し、その後は高速にアクセス可能なメモリ７に展開されたプログラムによって処理を行う。本実施例では規格化されパーソナルコンピュータに使用されているＤＩＭＭを使用する。
【００３６】
プロッタＩ／Ｆ装置８は、ＣＰＵ６にインテグレートされた汎用規格Ｉ／Ｆ経由で送られてくるＣＭＹＫからなるデジタル画像データを受け取ると、プロッタ装置９の専用Ｉ／Ｆに出力するバスブリッジ処理を行う。本実施例で使用している汎用規格Ｉ／ＦはＰＣＩ−Ｅｘｐｒｅｓｓバスである。
【００３７】
プロッタ装置９はＣＭＹＫからなるデジタル画像データを受け取ると、レーザビームを用いた電子写真プロセスを使って、転写紙に受け取った画像データを出力する。
【００３８】
ＳＢ１３は、パーソナルコンピュータに使用されるチップセットのひとつで、Ｓｏｕｔｈ  Ｂｒｉｄｇｅと呼ばれる汎用の電子デバイスである。主にＰＣＩ−ＥｘｐｒｅｓｓとＩＳＡブリッジを含むＣＰＵシステムを構築する際によく使用されるバスのブリッジ機能を汎用回路化したもので、本実施例ではＲＯＭとの間をブリッジしている。
【００３９】
ＲＯＭ１４は、ＣＰＵ６が本デジタル画像処理装置１００の制御を行う際のプログラム（ブートプログラムを含む）が格納されるメモリである。
【００４０】
操作表示装置１０は、本デジタル画像処理装置１００とユーザのインターフェースを行う部分で、ＬＣＤ（液晶表示装置）とキースイッチから構成され、装置の各種状態や操作方法をＬＣＤに表示し、ユーザからのキースイッチ入力を検知する。本実施例ではＰＣＩ−Ｅｘｐｒｅｓｓバスを介してＣＰＵ６と接続する。
【００４１】
回線Ｉ／Ｆ装置１１はＰＣＩ−Ｅｘｐｒｅｓｓバスと電話回線を接続する装置で、この装置により本デジタル画像処理装置１００は電話回線を介して外部装置と各種データのやり取りを行うことが可能になる。
【００４２】
ＦＡＸ１５は通常のファクシミリで、電話回線を介して本デジタル画像処理装置１００と画像データの授受を行う。
【００４３】
外部Ｉ／Ｆ装置１２はＰＣＩ−Ｅｘｐｒｅｓｓバスと外部装置を接続する装置で、この装置により本デジタル画像処理装置１００は外部装置と各種データのやり取りを行うことが可能になる。本実施例ではその接続Ｉ／Ｆにネットワーク（イーサネット（登録商標）））およびＵＳＢを使用する。すなわち、本デジタル画像処理装置１００は外部Ｉ／Ｆ装置１２を介してネットワークやＳＤカード等の外部メディア１７に接続している。
【００４４】
ＰＣ１６はいわゆるパーソナルコンピュータで、パーソナルコンピュータにインストールされたアプリケーションソフトやドライバを介して、ユーザは本デジタル画像処理装置１００に対して各種制御や画像データの入出力を行う。
【００４５】
外部メディア１７はいわゆるＳＤカード等のメモリデバイスで、画像データを含む各種電子データを記録しており、ユーザは本デジタル画像処理装置１００に対して画像データの入出力を行う。
【００４６】
＜一般的動作＞
（スキャナ入力→コピー動作）
ユーザは原稿を読み取り装置１にセットし、所望するモード等の設定とコピー開始の入力を操作表示装置１０に行う。
【００４７】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【００４８】
ＣＰＵ６はコピー開始の制御コマンドデータに従って、コピー動作プロセスのプログラムを実行し、コピー動作に必要な設定や動作を順に行っていく。以下に動作プロセスを順に記す。図２（ａ）にシーケンス図を示す。
【００４９】
読み取り装置１で原稿をスキャンして得られたＲＧＢ各８ビットのデジタル画像データは（ステップＳ１０１）、第１画像データ処理装置２で予め定めた特性に統一され、バス制御装置３に送られる（ステップＳ１０２）。
【００５０】
バス制御装置３は第１画像データ処理装置２からのＲＧＢ画像データを受け取ると、ＣＰＵ６を介してメモリ７に蓄積する。
【００５１】
次に、メモリ７に蓄積されたＲＧＢ画像データは、ＣＰＵ６およびバス制御装置３を介して、第２画像データ処理装置４に送られる（ステップＳ１０３）。
【００５２】
第２画像データ処理装置４は受け取ったＲＧＢ画像データを、プロッタ出力用のＣＭＹＫ画像データに変換し出力する（ステップＳ１０４）。
【００５３】
バス制御装置３は第２画像データ処理装置４からのＣＭＹＫ画像データを受け取ると、ＣＰＵ６を介してメモリ７に蓄積する。
【００５４】
次に、メモリ７に蓄積されたＣＭＹＫ画像データは、ＣＰＵ６およびプロッタＩ／Ｆ装置８を介して、プロッタ装置９に送られる（ステップＳ１０５）。
【００５５】
プロッタ装置９は受け取ったＣＭＹＫ画像データを転写紙に出力し、原稿のコピーが生成される。
【００５６】
（スキャナ入力→ファックス送信動作）
ユーザは原稿を読み取り装置１にセットし、所望するモード等の設定とファックス開始の入力を操作表示装置１０に行う。
【００５７】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【００５８】
ＣＰＵ６はファックス送信開始の制御コマンドデータに従って、ファックス送信動作プロセスのプログラムを実行し、ファックス送信動作に必要な設定や動作を順に行っていく。以下に動作プロセスを順に記す。図２（ｂ）にシーケンス図を示す。
【００５９】
読み取り装置１で原稿をスキャンして得られたＲＧＢ各８ビットのデジタル画像データは（ステップＳ１１１）、第１画像データ処理装置２で予め定めた特性に統一され、バス制御装置３に送られる（ステップＳ１１２）。
【００６０】
バス制御装置３は第１画像データ処理装置２からのＲＧＢ画像データを受け取ると、ＣＰＵ６を介してメモリ７に蓄積する。
【００６１】
次に、メモリ７に蓄積されたＲＧＢ画像データは、ＣＰＵ６およびバス制御装置３を介して、第２画像データ処理装置４に送られる（ステップＳ１１３）。
【００６２】
第２画像データ処理装置４は受け取ったＲＧＢ画像データを、ファックス送信用のモノクロ２値の画像データに変換し出力する（ステップＳ１１４）。
【００６３】
バス制御装置３は第２画像データ処理装置４からのモノクロ２値画像データを受け取ると、ＣＰＵ６を介してメモリ７に蓄積する。
【００６４】
次に、メモリ７に蓄積されたモノクロ２値画像データは、ＣＰＵ６を介して、回線Ｉ／Ｆ装置１１に送られる（ステップＳ１１５）。
【００６５】
回線Ｉ／Ｆ装置１１は受け取ったモノクロ２値画像データを、回線を介して接続したＦＡＸ１５に送信する。
【００６６】
（スキャナ入力→スキャナ配信動作）
ユーザは原稿を読み取り装置１にセットし、所望するモード等の設定とスキャナ配信開始の入力を操作表示装置１０に行う。
【００６７】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【００６８】
ＣＰＵ６はスキャナ配信開始の制御コマンドデータに従って、スキャナ配信動作プロセスのプログラムを実行し、スキャナは配信動作に必要な設定や動作を順に行っていく。以下に動作プロセスを順に記す。図２（ｃ）にシーケンス図を示す。
【００６９】
読み取り装置１で原稿をスキャンして得られたＲＧＢ各８ビットのデジタル画像データは（ステップＳ１２１）、第１画像データ処理装置２で予め定めた特性に統一され、バス制御装置３に送られる（ステップＳ１２２）。
【００７０】
バス制御装置３は第１画像データ処理装置２からのＲＧＢ画像データを受け取ると、ＣＰＵ６を介してメモリ７に蓄積する。
【００７１】
次に、メモリ７に蓄積されたＲＧＢ画像データは、ＣＰＵ６およびバス制御装置３を介して、第２画像データ処理装置４に送られる（ステップＳ１２３）。
【００７２】
第２画像データ処理装置４は受け取ったＲＧＢ画像データを、スキャナ配信用の画像データ（ＲＧＢ多値、グレースケール、モノクロ２値等）に変換し出力する（ステップＳ１２４）。
【００７３】
バス制御装置３は第２画像データ処理装置４からの画像データを受け取ると、ＣＰＵ６を介してメモリ７に蓄積する。
【００７４】
次に、メモリ７に蓄積された画像データは、ＣＰＵ６を介して、外部Ｉ／Ｆ装置１２に送られる（ステップＳ１２５）。
【００７５】
外部Ｉ／Ｆ装置１２は受け取った画像データを、ネットワークを介して接続したＰＣ１６に送信する。
【００７６】
（外部メディア入力→コピー動作）
ユーザは画像データの記録された外部メディア１７を外部Ｉ／Ｆ装置１２を介して接続し、所望するモード等の設定とコピー開始の入力を操作表示装置１０に行う。
【００７７】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【００７８】
ＣＰＵ６はコピー開始の制御コマンドデータに従って、コピー動作プロセスのプログラムを実行し、コピー動作に必要な設定や動作を順に行っていく。以下に動作プロセスを順に記す。図３（ａ）にシーケンス図を示す。
【００７９】
外部メディア１７から外部Ｉ／Ｆ装置１２経由で得られたＲＧＢ各８ビットのデジタル画像データは（ステップＳ２０１）、ＣＰＵ６を介してメモリ７に蓄積される。
【００８０】
メモリ７に蓄積されたＲＧＢ画像データは、ＣＰＵ６およびバス制御装置３を介して、第２画像データ処理装置４に送られる（ステップＳ２０２）。
【００８１】
第２画像データ処理装置４は受け取ったＲＧＢ画像データを、予め定めた特性に統一し出力する（ステップＳ２０３）。
【００８２】
バス制御装置３は第２画像データ処理装置４からの統一されたＲＧＢ画像データを受け取ると、ＣＰＵ６を介して再びメモリ７に蓄積する。
【００８３】
次に、メモリ７に蓄積された統一ＲＧＢ画像データは、ＣＰＵ６およびバス制御装置３を介して、第２画像データ処理装置４に送られる（ステップＳ２０４）。
【００８４】
第２画像データ処理装置４は受け取った統一ＲＧＢ画像データを、プロッタ出力用のＣＭＹＫ画像データに変換し出力する（ステップＳ２０５）。
【００８５】
バス制御装置３は第２画像データ処理装置４からのＣＭＹＫ画像データを受け取ると、ＣＰＵ６を介してメモリ７に蓄積する。
【００８６】
次に、メモリ７に蓄積されたＣＭＹＫ画像データは、ＣＰＵ６およびプロッタＩ／Ｆ装置８を介して、プロッタ装置９に送られる（ステップＳ２０６）。
【００８７】
プロッタ装置９は受け取ったＣＭＹＫ画像データを転写紙に出力し、外部メディア１７に記録された画像データのコピーが生成される。
【００８８】
（外部メディア入力→ファックス送信動作）
ユーザは画像データの記録された外部メディア１７を外部Ｉ／Ｆ装置１２を介して接続し、所望するモード等の設定とファックス開始の入力を操作表示装置１０に行う。
【００８９】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【００９０】
ＣＰＵ６はファックス送信開始の制御コマンドデータに従って、ファックス送信動作プロセスのプログラムを実行し、ファックス送信動作に必要な設定や動作を順に行っていく。以下に動作プロセスを順に記す。図３（ｂ）にシーケンス図を示す。
【００９１】
外部メディア１７から外部Ｉ／Ｆ装置１２経由で得られたＲＧＢ各８ビットのデジタル画像データは（ステップＳ２１１）、ＣＰＵ６を介してメモリ７に蓄積される。
【００９２】
メモリ７に蓄積されたＲＧＢ画像データは、ＣＰＵ６およびバス制御装置３を介して、第２画像データ処理装置４に送られる（ステップＳ２１２）。
【００９３】
第２画像データ処理装置４は受け取ったＲＧＢ画像データを、予め定めた特性に統一し出力する（ステップＳ２１３）。
【００９４】
バス制御装置３は第２画像データ処理装置４からの統一されたＲＧＢ画像データを受け取ると、ＣＰＵ６を介して再びメモリ７に蓄積する。
【００９５】
次に、メモリ７に蓄積された統一ＲＧＢ画像データは、ＣＰＵ６およびバス制御装置３を介して、第２画像データ処理装置４に送られる（ステップＳ２１４）。
【００９６】
第２画像データ処理装置４は受け取った統一ＲＧＢ画像データを、ファックス送信用のモノクロ２値の画像データに変換し出力する（ステップＳ２１５）。
【００９７】
バス制御装置３は第２画像データ処理装置４からのモノクロ２値画像データを受け取ると、ＣＰＵ６を介してメモリ７に蓄積する。
【００９８】
次に、メモリ７に蓄積されたモノクロ２値画像データは、ＣＰＵ６を介して、回線Ｉ／Ｆ装置１１に送られる（ステップＳ２１６）。
【００９９】
回線Ｉ／Ｆ装置１１は受け取ったモノクロ２値画像データを、回線を介して接続したＦＡＸ１５に送信する。
【０１００】
（外部メディア入力→スキャナ配信動作）
ユーザは画像データの記録された外部メディア１７を外部Ｉ／Ｆ装置１２を介して接続し、所望するモード等の設定とスキャナ配信開始の入力を操作表示装置１０に行う。
【０１０１】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１０２】
ＣＰＵ６はスキャナ配信開始の制御コマンドデータに従って、スキャナ配信動作プロセスのプログラムを実行し、スキャナは配信動作に必要な設定や動作を順に行っていく。以下に動作プロセスを順に記す。図３（ｃ）にシーケンス図を示す。
【０１０３】
外部メディア１７から外部Ｉ／Ｆ装置１２経由で得られたＲＧＢ各８ビットのデジタル画像データは（ステップＳ２２１）、ＣＰＵ６を介してメモリ７に蓄積される。
【０１０４】
メモリ７に蓄積されたＲＧＢ画像データは、ＣＰＵ６およびバス制御装置３を介して、第２画像データ処理装置４に送られる（ステップＳ２２２）。
【０１０５】
第２画像データ処理装置４は受け取ったＲＧＢ画像データを、予め定めた特性に統一し出力する（ステップＳ２２３）。
【０１０６】
バス制御装置３は第２画像データ処理装置４からの統一されたＲＧＢ画像データを受け取ると、ＣＰＵ６を介して再びメモリ７に蓄積する。
【０１０７】
次に、メモリ７に蓄積された統一ＲＧＢ画像データは、ＣＰＵ６およびバス制御装置３を介して、第２画像データ処理装置４に送られる（ステップＳ２２４）。
【０１０８】
第２画像データ処理装置４は受け取った統一ＲＧＢ画像データを、スキャナ配信用の画像データ（ＲＧＢ多値、グレースケール、モノクロ２値等）に変換し出力する（ステップＳ２２５）。
【０１０９】
バス制御装置３は第２画像データ処理装置４からの画像データを受け取ると、ＣＰＵ６を介してメモリ７に蓄積する。
【０１１０】
次に、メモリ７に蓄積された画像データは、ＣＰＵ６を介して、外部Ｉ／Ｆ装置１２に送られる（ステップＳ２２６）。
【０１１１】
外部Ｉ／Ｆ装置１２は受け取った画像データを、ネットワークを介して接続したＰＣ１６に送信する。
【０１１２】
＜画像データを再利用する場合の動作  その１＞
次に、原稿をスキャンした画像データをデジタル画像処理装置１００内に蓄積・保存し、その後、蓄積・保存した画像データを再利用する場合の動作を説明する。
【０１１３】
（コピー動作＋ＨＤＤへの蓄製・保存動作）
ユーザは原稿を読み取り装置１にセットし、所望するモード等の設定とコピー開始の入力を操作表示装置１０に行う。
【０１１４】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１１５】
ＣＰＵ６はコピー開始の制御コマンドデータに従って、コピー動作プロセスのプログラムを実行し、コピー動作に必要な設定や動作を順に行っていく。以下に動作プロセスを順に記す。図４（ａ）にシーケンス図を示す。
【０１１６】
読み取り装置１で原稿をスキャンして得られたＲＧＢ各８ビットのデジタル画像データは（ステップＳ３０１）、第１画像データ処理装置２で予め定めた特性に統一され、バス制御装置３に送られる（ステップＳ３０２）。
【０１１７】
図５は第１画像データ処理装置２の内部構成例を示す図であり、処理を順に説明する。
【０１１８】
γ変換部２１は読み取り装置１から受け取ったＲＧＢ画像データの明るさを予め定めた特性に統一する。本実施例では明度リニアな特性に変換した。
【０１１９】
フィルタ処理部２２はＲＧＢ画像データの鮮鋭性を予め定めた特性に統一する。本実施例では図６に示すような基準チャートをスキャンしたときに、線数毎に対して予め定めたＭＴＦ特性値になるように変換した。
【０１２０】
色変換部２３はＲＧＢ画像データの色を予め定めた特性に統一する。本実施例では色空間がＡｄｏｂｅ社で定義されるＡｄｏｂｅＲＧＢ色空間になるように変換した。
【０１２１】
変倍処理部２４はＲＧＢ画像データのサイズ（解像度）を予め定めた特性に統一する。本実施例ではサイズ（解像度）を６００ｄｐｉに変換した。
【０１２２】
図４（ａ）に戻り、バス制御装置３は第１画像データ処理装置２からのＲＧＢ画像データを受け取ると、ＣＰＵ６を介してメモリ７に蓄積する。
【０１２３】
メモリ７に蓄製したＲＧＢ画像データは、ＣＰＵ６およびバス制御装置３を介して、ＨＤＤ５に送信され（ステップＳ３０３）、ＨＤＤ５内に蓄積・保存される。
【０１２４】
その後、前述のようにメモリ７のＲＧＢ画像データは、第２画像データ処理装置４を介してプロッタ装置９に出力され（ステップＳ３０４〜Ｓ３０６）、原稿のコピーが生成される。
【０１２５】
図７は第２画像データ処理装置４の内部構成例を示す図であり、この時の動作を順に説明する。
【０１２６】
フィルタ処理部４１はＲＧＢ画像データの鮮鋭性を、プロッタ装置９に出力する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１２７】
色変換部４２は、ＲＧＢ各８ビットのデータを受け取るとプロッタ装置用の色空間であるＣＭＹＫ各８ビットに変換する。このときにユーザの所望するモード情報に従って彩度もあわせて調整する。
【０１２８】
変倍処理部４３はＣＭＹＫ画像データのサイズ（解像度）を、プロッタ装置９の再現性能に従ってサイズ（解像度）変換を行う。本実施例ではプロッタ装置９の性能が６００ｄｐｉ出力であるため、特に変換は行わない。
【０１２９】
階調処理部４４では、ＣＭＹＫ各８ビットを受け取るとプロッタ装置９の階調処理能力に従った階調数変換処理を行う。本実施例ではＣＭＹＫ各２ビットに疑似中間調処理の一つである誤差拡散法を用いて階調数変換した。
【０１３０】
（蓄積→ファックス送信動作）
次に、ＨＤＤ５内に蓄積・保存した画像データを再利用する動作を説明する。
【０１３１】
ユーザは先ほどコピー動作させた時にＨＤＤ５内に蓄積した画像データに対し、所望するモード等の設定とファックス送信開始の入力を操作表示装置１０に行う。
【０１３２】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１３３】
ＣＰＵ６はファックス送信開始の制御コマンドデータに従って、ファックス送信動作プロセスのプログラムを実行し、ファックス送信動作に必要な設定や動作を順に行っていく。以下に動作プロセスを順に記す。図４（ｂ）にシーケンス図を示す。
【０１３４】
バス制御装置３はＨＤＤ５内に蓄積されているＲＧＢ画像データを、ＣＰＵ６を介してメモリ７に出力する（ステップＳ３１１）。
【０１３５】
その後、前述のようにメモリ７のＲＧＢ画像データは、第２画像データ処理装置４を介して回線Ｉ／Ｆ装置１１に出力され（ステップＳ３１２〜Ｓ３１４）、ＦＡＸ送信が成される。
【０１３６】
図７に示す第２画像データ処理装置４の内部におけるこの時の動作を順に説明する。
【０１３７】
フィルタ処理部４１はＲＧＢ画像データの鮮鋭性を、ＦＡＸ送信する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１３８】
色変換部４２は、ＲＧＢ各８ビットのデータを受け取るとＦＡＸ装置で一般的な単色（モノクロ）８ビットに変換する。
【０１３９】
変倍処理部４３はモノクロ画像データのサイズ（解像度）を、ＦＡＸ装置で送受されるサイズ（解像度）変換を行う。本実施例では主走査：２００ｄｐｉ×副走査：１００ｄｐｉに変換した。
【０１４０】
階調処理部４４では、モノクロ８ビットを受け取るとＦＡＸ装置で送受される階調処理能力に従った階調数変換処理を行う。本実施例では疑似中間調処理の一つである誤差拡散法を用いて２値に階調数変換した。
【０１４１】
（蓄積→スキャナ配信動作）
ユーザは先ほどコピー動作させた時にＨＤＤ５内に蓄積した画像データに対し、所望するモード等の設定とスキャナ配信開始の入力を操作表示装置１０に行う。
【０１４２】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１４３】
ＣＰＵ６はスキャナ配信開始の制御コマンドデータに従って、スキャナ配信動作プロセスのプログラムを実行し、スキャナ配信動作に必要な設定や動作を順に行っていく。以下に動作プロセスを順に記す。図４（ｃ）にシーケンス図を示す。
【０１４４】
バス制御装置３はＨＤＤ５内に蓄積されているＲＧＢ画像データを、ＣＰＵ６を介してメモリ７に出力する（ステップＳ３２１）。
【０１４５】
その後、前述のようにメモリ７のＲＧＢ画像データは、第２画像データ処理装置４を介して外部Ｉ／Ｆ装置１２に出力され（ステップＳ３２２〜Ｓ３２４）、スキャナ配信が成される。
【０１４６】
図７に示す第２画像データ処理装置４の内部におけるこの時の動作を順に説明する。
【０１４７】
フィルタ処理部４１はＲＧＢ画像データの鮮鋭性を、スキャナ配信する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１４８】
色変換部４２は、ＲＧＢ各８ビットのデータを受け取ると指定される色空間に変換する。本実施例ではスキャナ配信で一般的なｓＲＧＢ色空間に各色８ビットで変換した。
【０１４９】
変倍処理部４３はｓＲＧＢ画像データのサイズ（解像度）を、指定されたスキャナ配信で送受されるサイズ（解像度）変換を行う。本実施例では主走査：２００ｄｐｉ×副走査：２００ｄｐｉに変換した。
【０１５０】
階調処理部４４では、指定されたスキャナ配信で送受される階調処理能力に従った階調数変換処理を行う。本実施例ではＲＧＢ各８ｂｉｔの１６万色が指定されたものとして、階調処理は特に実施しない。
【０１５１】
（本実施例の作用・効果）
このように、本デジタル画像処理装置１００内に蓄積・保存したデータに対し、入力時と異なる出力先を所望した場合に、通常動作時（最初から出力先を指定したときの動作）となんら画像品質が変ることなく出力先の変更が可能となっており、著しく再利用性が向上している。すなわち、ユーザがＭＦＰ内部に蓄積・保存しておいて画像データを出力する場合に、画像データをＭＦＰ内部に蓄積・保存するときに利用したアプリと異なるアプリ（コピーアプリで蓄積／ファックス送信）に出力することが可能となる。
【０１５２】
また、第１画像データ処理装置２は出力先に対する処理を共有するため、出力先に対し同じ目的の機能（コピーアプリでの鮮鋭性調整機能とファックスアプリでの鮮鋭性機能の共有等）を共有化することが可能となり、効率的な機能実装を可能とすることができる。
【０１５３】
また、画像データ処理を、読み取り装置１からの画像データに対する統一処理と、個々の出力先に対する出力処理に分割モジュール化することが可能となるため、ユーザが所望する出力装置の組合せ要求に対し、第１画像データ処理装置２のみをラインアップすることにより、主要部品を変えることなく対応することが可能になる。その他技術発展に伴い新規出力装置の要求が発した場合においても、第１画像データ処理装置２のみをバージョンアップすることにより同様に対応することが可能となる。このように出力装置に対するユーザの要求変更に対し、効率的に対応することができる。
【０１５４】
さらにはＭＦＰ開発面においても、読み取り装置１からの画像データに対する統一処理と、個々の出力先に対する出力処理を分離して進めることが可能になり、分離して、開発、デバッグ、パラメータ設計等が可能となるので、開発効率があがる。このことにより開発期間を短縮することができる。
【０１５５】
その他、第１画像データ処理装置２により蓄積された画像データの性質が統一されているため、蓄積した画像データが大型〜小型ＭＦＰの各クラスにまたがって使用することが可能となる。すなわち、各クラスのＭＦＰに跨って、画像データをＭＦＰ内部に蓄積・保存するときに利用したアプリと異なるアプリに出力することが可能とすることができる。
【０１５６】
＜画像データを再利用する場合の動作  その２＞
次に、画像データを再利用する場合の他の動作を説明する。
【０１５７】
（スキャナ配信動作＋ＨＤＤへの蓄製・保存動作）
スキャナ配信動作およびＨＤＤ５に蓄積・保存時までの動作は上述した「その１」と同じなので説明を割愛する。
【０１５８】
次に、ＨＤＤ５内に蓄積・保存した画像データを再利用する動作を説明する。
【０１５９】
（スキャナ配信再指定動作：設定変更）
ユーザはＨＤＤ５内に蓄積した画像データに対し、スキャナ配信開始の入力を操作表示装置１０に行う。このときＨＤＤ５内に蓄積時に指定したモード等の設定を異なる設定に変更する。
【０１６０】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１６１】
ＣＰＵ６はスキャナ配信開始の制御コマンドデータに従って、スキャナ配信動作プロセスのプログラムを実行し、スキャナ配信動作に必要な設定や動作を順に行っていく。以下に動作プロセスを順に記す。
【０１６２】
バス制御装置３はＨＤＤ５内に蓄積されているＲＧＢ画像データを、ＣＰＵを介してメモリ７に出力する。
【０１６３】
その後、前述のようにメモリ７のＲＧＢ画像データは、第２画像データ処理装置４を介して回線Ｉ／Ｆ装置１１に出力され、スキャナ配信が成される。
【０１６４】
図７に示す第２画像データ処理装置４の内部におけるこの時の動作を順に説明する。
【０１６５】
フィルタ処理部４１はＲＧＢ画像データの鮮鋭性を、スキャナ配信する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１６６】
色変換部４２は、ＲＧＢ各８ビットのデータを受け取ると指定される色空間に変換する。本実施例で再指定されたモードはモノクロであったので、単色（モノクロ）８ビットに変換する。
【０１６７】
変倍処理部４３は単色（モノクロ）画像データのサイズ（解像度）を、指定されたスキャナ配信で送受されるサイズ（解像度）変換を行う。本実施例で再指定された解像度に従って、主走査：４００ｄｐｉ×副走査：４００ｄｐｉに変換した。
【０１６８】
階調処理部４４では、指定されたスキャナ配信で送受される階調処理能力に従った階調数変換処理を行う。本実施例では再指定されたモードに従って、疑似中間調処理の一つである誤差拡散法を用いて２値に階調数変換した。
【０１６９】
（本実施例の作用・効果）
このように、本デジタル画像処理装置１００内に蓄積・保存したデータに対し、入力時のモード設定と異なるモード所望した場合に、通常動作時（最初から出力先を指定したときの動作）となんら画像品質が変ることなくモード設定の変更が可能となっており、著しく再利用性が向上している。すなわち、ユーザがＭＦＰ内部に蓄積・保存しておいて画像データを出力する場合に、画像データをＭＦＰ内部に蓄積・保存するときに利用したアプリの設定と異なる設定（Ａ４原稿２枚をＡ４転写紙１枚に集約→Ａ４原稿２枚をＡ４転写紙２枚）に変更して出力することが可能にすることができる。
【０１７０】
また、画像データ処理を、読み取り装置１からの画像データに対する統一処理と、個々の出力先に対する出力処理に分割モジュール化することが可能となるため、ユーザが所望する出力装置の各種機能要求に対し、第２画像データ処理装置４のみをラインアップすることにより、主要部品を変えることなく対応することが可能になる。その他技術発展に伴い出力装置の新規要求が発した場合においても、第２画像データ処理装置４のみをバージョンアップすることにより同様に対応することが可能となる。このように出力装置に対するユーザの要求変更に対し、効率的に対応することができる。
【０１７１】
さらには、ＭＦＰ開発面においても、画像読み取り装置からの画像データに対する統一処理と、個々の出力先に対する出力処理を分離して進めることが可能になり、分離して、開発、デバッグ、パラメータ設計等が可能となるので、開発効率があがる。このことにより開発期間を短縮することができる。
【０１７２】
その他、第１画像データ処理装置２により蓄積された画像データの性質が統一されているため、蓄積した画像データが大型〜小型ＭＦＰの各クラスにまたがって使用することを可能する。すなわち各クラスのＭＦＰに跨って、画像データをＭＦＰ内部に蓄積・保存するときに設定したに対し、異なる設定を施し出力することが可能とすることができる。
【０１７３】
＜画像データを再利用する場合の動作  その３＞
次に、外部メディア１７に記録された画像データをデジタル画像処理装置１００内に蓄積・保存し、その後、蓄積・保存した画像データを再利用する場合の動作を説明する。
【０１７４】
（コピー動作＋ＨＤＤへの蓄製・保存動作）
ユーザは画像データの記録された外部メディア１７を外部Ｉ／Ｆ装置１２を介して接続し、所望するモード等の設定とコピー開始の入力を操作表示装置１０に行う。
【０１７５】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１７６】
ＣＰＵ６はコピー開始の制御コマンドデータに従って、コピー動作プロセスのプログラムを実行し、コピー動作に必要な設定や動作を順に行っていく。以下に動作プロセスを順に記す。図８（ａ）にシーケンス図を示す。
【０１７７】
外部メディア１７から外部Ｉ／Ｆ装置１２経由で得られたＲＧＢ各８ビットのデジタル画像データは（ステップＳ４０１）、ＣＰＵ６を介してメモリ７に蓄積される。
【０１７８】
メモリ７に蓄積されたＲＧＢ画像データは、ＣＰＵ６およびバス制御装置３を介して、第２画像データ処理装置４に送られる（ステップＳ４０２）。
【０１７９】
第２画像データ処理装置４は受け取ったＲＧＢ画像データを、予め定めた特性に統一し出力する（ステップＳ４０３）。
【０１８０】
図７に示す第２画像データ処理装置４の内部におけるこの時の動作を順に説明する。
【０１８１】
フィルタ処理部４１はＲＧＢ画像データの鮮鋭性を予め定めた特性に統一する。本実施例では図６に示すような基準チャートを入力したときに、線数毎に対して予め定めたＭＴＦ特性値になるように変換した。
【０１８２】
色変換部４２はＲＧＢ画像データの色を予め定めた特性に統一する。本実施例では色空間がＡｄｏｂｅ社で定義されるＡｄｏｂｅＲＧＢ色空間になるように変換した。
【０１８３】
変倍処理部４３はＲＧＢ画像データのサイズ（解像度）を予め定めた特性に統一する。本実施例ではサイズ（解像度）を６００ｄｐｉに変換した。
【０１８４】
階調処理部４４はここでは特性を統一するのみなので、処理は行われない（スルー）。
【０１８５】
バス制御装置３は第２画像データ処理装置４からの統一されたＲＧＢ画像データを受け取ると、ＣＰＵ６を介して再びメモリ７に蓄積する。
【０１８６】
メモリ７に蓄製したＲＧＢ画像データは、ＣＰＵ６およびバス制御装置３を介して、ＨＤＤ５に送信され（ステップＳ４０４）、ＨＤＤ５内に蓄積・保存される。
【０１８７】
その後、前述のようにメモリ７のＲＧＢ画像データは、第２画像データ処理装置４を介してプロッタ装置９に出力され（ステップＳ４０５〜Ｓ４０７）、原稿のコピーが生成される。
【０１８８】
図７に示す第２画像データ処理装置４の内部におけるこの時の動作を順に説明する。
【０１８９】
フィルタ処理部４１はＲＧＢ画像データの鮮鋭性を、プロッタ装置９に出力する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０１９０】
色変換部４２は、ＲＧＢ各８ビットのデータを受け取るとプロッタ装置用の色空間であるＣＭＹＫ各８ビットに変換する。このときにユーザ所望するモード情報に従って彩度もあわせて調整する。
【０１９１】
変倍処理部４３はＣＭＹＫ画像データのサイズ（解像度）を、プロッタ装置９の再現性能に従ってサイズ（解像度）変換を行う。本実施例ではプロッタ装置９の性能が６００ｄｐｉ出力であるため、特に変換は行わない。
【０１９２】
階調処理部４４では、ＣＭＹＫ各８ビットを受け取るとプロッタ装置９の階調処理能力に従った階調数変換処理を行う。本実施例ではＣＭＹＫ各２ビットに疑似中間調処理の一つである誤差拡散法を用いて階調数変換した。
【０１９３】
次にＨＤＤ５内に蓄積・保存した画像データを再利用する動作を説明する。
【０１９４】
（蓄積→ファックス送信動作）
ユーザは先ほどコピー動作させた時にＨＤＤ５内に蓄積した画像データに対し、所望するモード等の設定とファックス送信開始の入力を操作表示装置１０に行う。
【０１９５】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０１９６】
ＣＰＵ６はファックス送信開始の制御コマンドデータに従って、ファックス送信動作プロセスのプログラムを実行し、ファックス送信動作に必要な設定や動作を順に行っていく。以下に動作プロセスを順に記す。図８（ｂ）にシーケンス図を示す。
【０１９７】
バス制御装置３はＨＤＤ５内に蓄積されているＲＧＢ画像データを、ＣＰＵ６を介してメモリ７に出力する（ステップＳ４１１）。
【０１９８】
その後、前述のようにメモリ７のＲＧＢ画像データは、第２画像データ処理装置４を介して回線Ｉ／Ｆ装置１１に出力され（ステップＳ４１２〜Ｓ４１４）、ＦＡＸ送信が成される。
【０１９９】
図７に示す第２画像データ処理装置４の内部におけるこの時の動作を順に説明する。
【０２００】
フィルタ処理部４１はＲＧＢ画像データの鮮鋭性を、ＦＡＸ送信する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０２０１】
色変換部４２は、ＲＧＢ各８ビットのデータを受け取るとＦＡＸ装置で一般的な単色（モノクロ）８ビットに変換する。
【０２０２】
変倍処理部４３はモノクロ画像データのサイズ（解像度）を、ＦＡＸ装置で送受されるサイズ（解像度）変換を行う。本実施例では主走査：２００ｄｐｉ×副走査：１００ｄｐｉに変換した。
【０２０３】
階調処理部４４では、モノクロ８ビットを受け取るとＦＡＸ装置で送受される階調処理能力に従った階調数変換処理を行う。本実施例では疑似中間調処理の一つである誤差拡散法を用いて２値に階調数変換した。
【０２０４】
（蓄積→スキャナ配信動作）
ユーザは先ほどコピー動作させた時にＨＤＤ５内に蓄積した画像データに対し、所望するモード等の設定とスキャナ配信開始の入力を操作表示装置１０に行う。
【０２０５】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０２０６】
ＣＰＵ６はスキャナ配信開始の制御コマンドデータに従って、スキャナ配信動作プロセスのプログラムを実行し、スキャナ配信動作に必要な設定や動作を順に行っていく。以下に動作プロセスを順に記す。図８（ｃ）にシーケンス図を示す。
【０２０７】
バス制御装置３はＨＤＤ５内に蓄積されているＲＧＢ画像データを、ＣＰＵ６を介してメモリ７に出力する（ステップＳ４２１）。
【０２０８】
その後、前述のようにメモリ７のＲＧＢ画像データは、第２画像データ処理装置４を介して外部Ｉ／Ｆ装置１２に出力され（ステップＳ４２２〜Ｓ４２４）、スキャナ配信が成される。
【０２０９】
図７に示す第２画像データ処理装置４の内部におけるこの時の動作を順に説明する。
【０２１０】
フィルタ処理部４１はＲＧＢ画像データの鮮鋭性を、スキャナ配信する場合の再現性が良くなるように補正する。具体的には所望するモード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０２１１】
色変換部４２は、ＲＧＢ各８ビットのデータを受け取ると指定される色空間に変換する。本実施例ではスキャナ配信で一般的なｓＲＧＢ色空間に各色８ビットで変換した。
【０２１２】
変倍処理部４３はｓＲＧＢ画像データのサイズ（解像度）を、指定されたスキャナ配信で送受されるサイズ（解像度）変換を行う。本実施例では主走査：２００ｄｐｉ×副走査：２００ｄｐｉに変換した。
【０２１３】
階調処理部４４では、指定されたスキャナ配信で送受される階調処理能力に従った階調数変換処理を行う。本実施例ではＲＧＢ各８ｂｉｔの１６万色が指定されたものとして、階調処理は特に実施しない。
【０２１４】
（本実施例の作用・効果）
このように、本デジタル画像処理装置１００内に蓄積・保存したデータに対し、入力時と異なる出力先を所望した場合に、通常動作時（最初から出力先を指定したときの動作）となんら画像品質が変ることなく出力先の変更が可能となっており、著しく再利用性が向上している。すなわち、ユーザがＭＦＰ内部に蓄積・保存しておいて画像データを出力する場合に、画像データをＭＦＰ内部に蓄積・保存するときに利用したアプリと異なるアプリ（外部メディアからのコピーアプリ・蓄積／ファックス送信）に出力することが可能となる。
【０２１５】
また、第２画像データ処理装置４は出力先に対する処理を共有するため、出力先に対し同じ目的の機能（コピーアプリでの鮮鋭性調整機能とファックスアプリでの鮮鋭性機能の共有等）を共有化することが可能となり、効率的な機能実装を可能とすることができる。
【０２１６】
また、画像データ処理を外部装置からの画像データに対する統一処理と、個々の出力先に対する出力処理に分割モジュール化することが可能となるため、ユーザが所望する出力装置の組合せ要求に対し、第２画像データ処理装置４のみを統一処理と出力処理の両方をそれぞれラインアップすることにより、主要部品を変えることなく対応することが可能になる。その他技術発展に伴い、新規外部装置や新規出力装置の要求が発した場合においても、第２画像データ処理装置４のみを独立にバージョンアップすることにより同様に対応することが可能となる。このように外部装置および出力装置に対するユーザの要求変更に対し、効率的に対応することができる。
【０２１７】
さらには、ＭＦＰ開発面においても、外部装置からの画像データに対する統一処理と、個々の出力先に対する出力処理を分離して進めることが可能になり、分離して、開発、デバッグ、パラメータ設計等が可能となるので、開発効率があがる。このことにより開発期間を短縮することができる。
【０２１８】
その他、第２画像データ処理装置４により蓄積された画像データの性質が統一されているため、蓄積した画像データが大型〜小型ＭＦＰの各クラスにまたがって使用することが可能となる。すなわち各クラスのＭＦＰに跨って、画像データをＭＦＰ内部に蓄積・保存するときに利用したアプリと異なるアプリに出力することが可能となる。
【０２１９】
＜画像データを再利用する場合の動作  その４＞
次に、外部メディアに記録された画像データをデジタル画像処理装置内に蓄積・保存し、その後、蓄積・保存した画像データを再利用する場合の他の動作を説明する。
【０２２０】
（スキャナ配信動作＋ＨＤＤへの蓄製・保存動作）
スキャナ配信動作およびＨＤＤ５に蓄積・保存時までの動作は「その３」と同じなので説明を割愛する。
【０２２１】
次にＨＤＤ５内に蓄積・保存した画像データを再利用する動作を説明する。
【０２２２】
（スキャナ配信再指定動作：設定変更）
ユーザはＨＤＤ５内に蓄積した画像データに対し、スキャナ配信開始の入力を操作表示装置１０に行う。このときＨＤＤ５内に蓄積時に指定したモード等の設定を異なる設定に変更する。
【０２２３】
操作表示装置１０はユーザから入力された情報を、機器内部の制御コマンドデータに変換し発行する。発行された制御コマンドデータはＰＣＩ−Ｅｘｐｒｅｓｓバスを介してＣＰＵ６に通知される。
【０２２４】
ＣＰＵ６はスキャナ配信開始の制御コマンドデータに従って、スキャナ配信動作プロセスのプログラムを実行し、スキャナ配信動作に必要な設定や動作を順に行っていく。以下に動作プロセスを順に記す。
【０２２５】
バス制御装置３はＨＤＤ５内に蓄積されているＲＧＢ画像データを、ＣＰＵ６を介してメモリ７に出力する。
【０２２６】
その後、前述のようにメモリ７のＲＧＢ画像データは、第２画像データ処理装置４を介して回線Ｉ／Ｆ装置１１に出力され、スキャナ配信が成される。
【０２２７】
図７に示す第２画像データ処理装置４の内部におけるこの時の動作を順に説明する。
【０２２８】
フィルタ処理部４１はＲＧＢ画像データの鮮鋭性を、スキャナ配信する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０２２９】
色変換部４２は、ＲＧＢ各８ビットのデータを受け取ると指定される色空間に変換する。本実施例で再指定されたモードはモノクロであったので、単色（モノクロ）８ビットに変換する。
【０２３０】
変倍処理部４３は単色（モノクロ）画像データのサイズ（解像度）を、指定されたスキャナ配信で送受されるサイズ（解像度）変換を行う。本実施例で再指定された解像度に従って、主走査：４００ｄｐｉ×副走査：４００ｄｐｉに変換した。
【０２３１】
階調処理部４４では、指定されたスキャナ配信で送受される階調処理能力に従った階調数変換処理を行う。本実施例では再指定されたモードに従って、疑似中間調処理の一つである誤差拡散法を用いて２値に階調数変換した。
【０２３２】
（本実施例の作用・効果）
このように、本デジタル画像処理装置１００内に蓄積・保存したデータに対し、入力時のモード設定と異なるモード所望した場合に、通常動作時（最初から出力先を指定したときの動作）となんら画像品質が変ることなくモード設定の変更が可能となっており、著しく再利用性が向上している。すなわち、ユーザがＭＦＰ内部に蓄積・保存しておいて画像データを出力する場合に、画像データをＭＦＰ内部に蓄積・保存するときに利用したアプリの設定と異なる設定（Ａ４原稿２枚をＡ４転写紙１枚に集約→Ａ４原稿２枚をＡ４転写紙２枚）に変更して出力することが可能にすることができる。
【０２３３】
また、画像データ処理を外部装置からの画像データに対する統一処理と、個々の出力先に対する出力処理に分割モジュール化することが可能となるため、ユーザが所望する出力装置の各種機能要求に対し、第２画像データ処理装置４のみを統一処理と出力処理の両方をそれぞれラインアップすることにより、主要部品を変えることなく対応することが可能になる。その他技術発展に伴い、新規外部装置や新規出力装置の要求が発した場合においても、第２画像データ処理装置４のみを独立にバージョンアップすることにより同様に対応することが可能となる。このように外部装置および出力装置に対するユーザの要求変更に対し、効率的に対応することができた。
【０２３４】
さらには、ＭＦＰ開発面においても、読み取り装置１からの画像データに対する統一処理と、個々の出力先に対する出力処理を分離して進めることが可能になり、分離して、開発、デバッグ、パラメータ設計等が可能となるので、開発効率があがる。このことにより開発期間を短縮することができる。
【０２３５】
その他、第１画像データ処理装置２により蓄積された画像データの性質が統一されているため、蓄積した画像データが大型〜小型ＭＦＰの各クラスにまたがって使用することを可能する。すなわち各クラスのＭＦＰに跨って、画像データをＭＦＰ内部に蓄積・保存するときに設定したものに対し、異なる設定を施し出力することが可能とすることができる。
【０２３６】
＜画像データを再利用する場合の動作  その５＞
次に、原稿をスキャンした画像データをデジタル画像処理装置内に蓄積・保存し、その後、蓄積・保存した画像データを再利用する場合の、画質モードの扱いに関しての動作を説明する。
【０２３７】
（画質モード指定とＨＤＤへの蓄製・保存動作）
「その１」「その２」で説明したデジタル画像処理装置１００は各アプリ動作を行う場合に画質モードの設定が可能である。
【０２３８】
例えば、コピー動作においては、文字再現を重視した文字モード、階調の滑らかさを重視した写真モード、地図原稿に最適な地図モード等がある。
【０２３９】
また、スキャナ配信動作・ファックス送信動作においても、同様な文字モード、写真モード等がある。
【０２４０】
このようにいろいろな動作アプリによって多岐に渡る画質モードの設定によらず、図５に示した第１画像データ処理装置２のγ変換部２１、フィルタ処理部２２、色変換部２３は、全てＲＧＢ画像データを予め定めた特性に統一し、ＨＤＤ５に蓄積・保存する。
【０２４１】
γ変換部２１は読み取り装置１から受け取ったＲＧＢ画像データの明るさを予め定めた明度リニアな特性に変換した。また、γ変換の方式は既知の１次元ルックアップ方式を採用した。
【０２４２】
フィルタ処理部２２はＲＧＢ画像データの鮮鋭性を予め定めた特性に統一する。本実施例では図６に示すような基準チャートをスキャンしたときに、線数毎に対して予め定めたＭＴＦ特性値になるように変換した。また、フィルタ処理の方式は既知のラプラシアンを用いたエッジ強調フィルタと平滑フィルタを組み合わせた方式を採用した。
【０２４３】
色変換部２３はＲＧＢ画像データの色を予め定めた特性に統一する。本実施例では色空間がＡｄｏｂｅ社で定義されるＡｄｏｂｅＲＧＢ色空間になるように変換した。また、色変換の方式は既知の３次元ルックアップ方式を採用した。
【０２４４】
再利用時における図７に示す第２画像データ処理装置４のフィルタ処理部４１、色変換部４２、階調処理部４４は、動作アプリによる画質モードの設定に従って、統一されたＲＧＢ：各８ビットの画像データから、指定された画質モードに対応した特性に変換し、動作アプリで指定された機器へ出力を行う。本実施例ではプロッタ装置９への出力とした。
【０２４５】
フィルタ処理部４１はＲＧＢ画像データの鮮鋭性を、プロッタ装置９に出力する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０２４６】
色変換部４２は、ＲＧＢ各８ビットのデータを受け取るとプロッタ装置用の色空間であるＣＭＹＫ各８ビットに変換する。このときにユーザ所望する画質モード情報に従って彩度もあわせて調整する。
【０２４７】
階調処理部４４では、ＣＭＹＫ各８ビットを受け取るとプロッタ装置９の階調処理能力に従った階調数変換処理を行う。このときにユーザ所望する画質モード情報に従って使用する階調処理を行う。例えば、文字モードでは文字をハッキリ／クッキリとするために解像力に優れる疑似中間調処理の一つである誤差拡散法を施し、写真モードでは滑らかに階調性を表現するため同じく疑似中間調処理の一つであるディザ法を施す。
【０２４８】
（本実施例の作用・効果）
このように、本デジタル画像処理装置１００内に蓄積・保存したデータに対し、入力時の画質モードの設定に関して、再出力時にそのモード設定や出力先を変更しても、通常動作時（最初から出力先と動作モードを指定したときの動作）となんら画像品質が変ることなくモード設定の変更が可能となっており、著しく再利用性が向上している。すなわち、メモリ装置に蓄積した画像データを、蓄積・保存時のアプリや設定を変えて出力（再利用）する場合に、画質モードに関してアプリや設定を変えることが可能となり、蓄積した画像データの画質モードに関する再利用性を著しく改善することができる。例えば、画像データ蓄積時にコピーアプリの写真モードを設定した画像データを、再出力時に文字モードに変更して出すことができる。また、画像データ蓄積時にファックス送信（モノクロ）を設定していた画像データを、画像書き込み装置にフルカラーで出すことができる。
【０２４９】
＜画像データを再利用する場合の動作  その６＞
次に、外部メディア１７に記録された画像データをデジタル画像処理装置１００内に蓄積・保存し、その後、蓄積・保存した画像データを再利用する場合の、画質モードの扱いに関して動作を説明する。
【０２５０】
（画質モード指定とＨＤＤへの蓄製・保存動作）
「その３」「その４」のデジタル画像処理装置１００は各アプリ動作を行う場合に、画質モードの設定が可能である。
【０２５１】
例えば、コピー動作においては、文字再現を重視した文字モード、階調の滑らかさを重視した写真モード、地図原稿に最適な地図モード等がある。
【０２５２】
また、スキャナ配信動作・ファックス送信動作においても、同様な文字モード、写真モード等がある。
【０２５３】
このようにいろいろな動作アプリによって多岐に渡る画質モードの設定によらず、図７に示す第２画像データ処理装置４のフィルタ処理部４１、色変換部４２は、全てＲＧＢ画像データを予め定めた特性に統一し、ＨＤＤ５に蓄積・保存する。
【０２５４】
フィルタ処理部４１はＲＧＢ画像データの鮮鋭性を予め定めた特性に統一する。本実施例では図６に示すような基準チャートを入力したときに、線数毎に対して予め定めたＭＴＦ特性値になるように変換した。また、フィルタ処理の方式は既知のラプラシアンを用いたエッジ強調フィルタと平滑フィルタを組み合わせた方式を採用した。
【０２５５】
色変換部４２はＲＧＢ画像データの色を予め定めた特性に統一する。本実施例では色空間がＡｄｏｂｅ社で定義されるＡｄｏｂｅＲＧＢ色空間になるように変換した。また、色変換の方式は既知の３次元ルックアップ方式を採用した。
【０２５６】
再利用時における第２画像データ処理装置４のフィルタ処理部４１、色変換部４２、階調処理部４４は、動作アプリによる画質モードの設定に従って、統一されたＲＧＢ：各８ビットの画像データから、指定された画質モードに対応した特性に変換し、動作アプリで指定された機器へ出力を行う。本実施例ではプロッタ装置９への出力とした。
【０２５７】
フィルタ処理部４１はＲＧＢ画像データの鮮鋭性を、プロッタ装置９に出力する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。
【０２５８】
色変換部４２は、ＲＧＢ各８ビットのデータを受け取るとプロッタ装置用の色空間であるＣＭＹＫ各８ビットに変換する。このときにユーザ所望する画質モード情報に従って彩度もあわせて調整する。
【０２５９】
階調処理部４４では、ＣＭＹＫ各８ビットを受け取るとプロッタ装置９の階調処理能力に従った階調数変換処理を行う。このときにユーザ所望する画質モード情報に従って使用する階調処理を行う。例えば、文字モードでは文字をハッキリ／クッキリとするために解像力に優れる疑似中間調処理の一つである誤差拡散法を施し、写真モードでは滑らかに階調性を表現するため同じく疑似中間調処理の一つであるディザ法を施す。
【０２６０】
（本実施例の作用・効果）
このように、本デジタル画像処理装置１００内に蓄積・保存したデータに対し、入力時の画質モードの設定に関して、再出力時にそのモード設定や出力先の変更しても、通常動作時（最初から出力先と動作モードを指定したときの動作）となんら画像品質が変ることなくモード設定の変更が可能となっており、著しく再利用性が向上している。すなわち、メモリ装置に蓄積した画像データを、蓄積・保存時のアプリや設定を変えて出力（再利用）する場合に、画質モードに関してアプリや設定を変えることが可能となり、蓄積した画像データの画質モードに関する再利用性を著しく改善することができる。例えば、画像データ蓄積時にコピーアプリの写真モードを設定した画像データを、再出力時に文字モードに変更して出すことができた。また、画像データ蓄積時にファックス送信（モノクロ）を設定していた画像データを、画像書き込み装置にフルカラーで出すことができる。
【０２６１】
＜画像データを再利用しない場合の動作  その１＞
次に本実施例において、原稿をスキャンした画像データをデジタル画像処理装置１００内に蓄積・保存し、その後、蓄積・保存した画像データを再利用しない場合の、画質モードの扱いに関して動作を説明する。
【０２６２】
（画質モードに関するモード指定と動作）
デジタル画像処理装置１００は各アプリ動作を行う場合に、画質モードの設定が可能である。
【０２６３】
例えば、コピー動作においては、文字再現を重視した文字モード、階調の滑らかさを重視した写真モード、地図原稿に最適な地図モード等がある。
【０２６４】
また、スキャナ配信動作・ファックス送信動作においても、同様な文字モード、写真モード等がある。
【０２６５】
図５に示した第１画像データ処理装置２のフィルタ処理部２２、色変換部２３は、動作アプリの画質モードの設定に従って、各画質モードで定められた特性にＲＧＢ画像データを処理する。
【０２６６】
フィルタ処理部２２はＲＧＢ画像データの鮮鋭性を、プロッタ装置９や外部Ｉ／Ｆ装置１２などの出力装置に出力する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。また、フィルタ処理の方式は既知のラプラシアンを用いたエッジ強調フィルタと平滑フィルタを組み合わせた方式を採用した。
【０２６７】
色変換部２３は、ＲＧＢ各８ビットのデータを受け取るとプロッタ装置用の色空間であるＣＭＹＫ各８ビットに変換する。またはＲＧＢ各８ビットのデータを外部Ｉ／Ｆ装置用の色空間であるＲＧＢ各８ビットに変換する。このときにユーザ所望する画質モード情報に従って彩度もあわせて調整する。また、色変換の方式は既知の３次元ルックアップ方式を採用した。
【０２６８】
第１画像データ処理装置２で処理された画像データは、バス制御装置３、ＣＰＵ６、メモリ７を介して、第２画像データ処理装置４にて処理され、指定された出力先に送出される。このとき図７に示した第２画像データ処理装置４のフィルタ処理部４１、色変換部４２は何も動作しない。
【０２６９】
（本実施例の作用・効果）
このように、本デジタル画像処理装置１００内に蓄積・保存しない場合は、多岐に渡る画質モード設定に対し、例えば、文字モード等先鋭性を高める場合、第１画像データ処理装置２で各出力装置での再現性が高くなるように補正される。第２画像データ処理装置４では第１画像データ処理装置２で既に画質モードに対応した処理を行っているので、処理をスルーすることができる。このため、第２画像データ処理装置４の各画像処理の制御が簡単になり、また処理自体をスルーにすることができるので、ＨＤＤ５に蓄積・保存し再出力（再利用）する場合となんら画像品質が変ることなく、高速に処理することが可能となり、本デジタル画像処理の生産性を向上することができる。すなわち、第２画像データ処理装置４で行うべき画像処理を先取りし、第２画像データ処理装置４における画像処理を省略することができるので、画像処理のパラメータ設定にかかる制御時間の短縮・簡略化や、さらには処理そのものを行わないことによる速度向上が期待できる。よって、再利用しない場合には、制御面・処理面の両面から生産性を改善することができる。例えば、読み取った原稿の画像データ蓄積時にコピーアプリの文字モードを設定した画像データは、第１画像データ処理装置２により出力装置の特性を考慮しつつ文字再現に適した画像データに変換されるため、第２画像データ処理装置４での制御・処理が軽減し、生産性が向上する。
【０２７０】
＜画像データを再利用しない場合の動作  その２＞
次に、外部メディア１７に記録された画像データをデジタル画像処理装置１００内に蓄積・保存し、その後、蓄積・保存した画像データを再利用しない場合の、画質モードの扱いに関して動作を説明する。
【０２７１】
（画質モードに関するモード指定と動作）
デジタル画像処理装置１００は各アプリ動作を行う場合に、画質モードの設定が可能である。
【０２７２】
例えば、コピー動作においては、文字再現を重視した文字モード、階調の滑らかさを重視した写真モード、地図原稿に最適な地図モード等がある。
【０２７３】
また、スキャナ配信動作・ファックス送信動作においても、同様な文字モード、写真モード等がある。
【０２７４】
図７に示した第２画像データ処理装置４のフィルタ処理部４１、色変換部４２、階調処理部４４は、動作アプリの画質モードの設定に従って、各画質モードで定められた特性にＲＧＢ画像データを処理する。
【０２７５】
フィルタ処理部４１はＲＧＢ画像データの鮮鋭性を、プロッタ装置９や外部Ｉ／Ｆ装置１２などの出力装置に出力する場合の再現性が良くなるように補正する。具体的には所望する画質モード情報に従って鮮鋭化／平滑化処理を施す。例えば、文字モードでは文字をハッキリ／クッキリとするために鮮鋭化処理を施し、写真モードでは滑らかに階調性を表現するため平滑化処理を施す。また、フィルタ処理の方式は既知のラプラシアンを用いたエッジ強調フィルタと平滑フィルタを組み合わせた方式を採用した。
【０２７６】
色変換部４２は、コピー動作においては、ＲＧＢ各８ビットのデータを受け取るとプロッタ装置９用の色空間であるＣＭＹＫ各８ビットに変換する。スキャナ配信動作においてはＲＧＢ各８ビットのデータを外部Ｉ／Ｆ装置１２用の色空間であるＲＧＢ各８ビット、またはグレイスケールに変換する。このときにユーザ所望する画質モード情報に従って彩度もあわせて調整する。また、色変換の方式は既知の３次元ルックアップ方式を採用した。
【０２７７】
階調処理部４４では、コピー動作においてはＣＭＹＫ各８ビットを受け取るとプロッタ装置９の階調処理能力に従った階調数変換処理を行う。このときにユーザ所望する画質モード情報に従って使用する階調処理を行う。例えば、文字モードでは文字をハッキリ／クッキリとするために解像力に優れる疑似中間調処理の一つである誤差拡散法を施し、写真モードでは滑らかに階調性を表現するため同じく疑似中間調処理の一つであるディザ法を施す。スキャナ配信動作やファックス送信動作においてはモノクロ二値のモードが指定されている時のみ同様に画質モードに対応した階調処理を行う。
【０２７８】
第２画像データ処理装置４で処理された画像データは、バス制御装置３、ＣＰＵ６、メモリ７を介して、指定された出力先に送出される。
【０２７９】
（本実施例の作用・効果）
このように、本デジタル画像処理装置１００内に蓄積・保存しない場合は、多岐に渡る画質モード設定に対し、例えば、文字モード等先鋭性を高める場合、第２画像データ処理装置４で各出力装置での再現性が高くなるように補正される。第２画像データ処理装置４のみで画質モードに対応した処理を行えるので、ＨＤＤ５に蓄積・保存し再出力（再利用）する場合となんら画像品質が変ることなく、高速に処理することが可能となり、本デジタル画像処理の生産性を向上することができる。すなわち、統一化→出力装置という二段階の処理を一度で済ますことができるので、処理速度の向上が期待できる。よって、再利用しない場合には、速度向上による生産性を改善することができる。例えば、外部Ｉ／Ｆ装置から入力された画像データ蓄積時にコピーアプリの文字モードを設定した画像データは、第２画像データ処理装置４により出力装置の特性を考慮しつつ文字再現に適した画像データに一回で変換されるため、生産性が向上する。
【０２８０】
＜総括＞
本発明の画像処理装置にあっては、画像読み取り手段から入力された画像データを、画像書き込み手段と外部装置の両方に利用可能となるように画像データの性質を統一する処理を行い、性質を統一した画像データを記憶手段に蓄積し、画像書き込み手段および外部Ｉ／Ｆ手段への出力に適する性質に画像データを処理することにより、記憶手段に蓄積した画像データを画像書き込み手段と外部装置のどちらにも再利用可能とすることができ、デジタル画像データの再利用性を向上させることができる。
【０２８１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【０２８２】
【図１】本発明の一実施形態にかかるデジタル画像処理装置の構成例を示す図である。
【図２】一般的動作にかかる処理例を示すシーケンス図（その１）である。
【図３】一般的動作にかかる処理例を示すシーケンス図（その２）である。
【図４】画像データを再利用する場合の動作にかかる処理例を示すシーケンス図（その１）である。
【図５】第１画像データ処理装置の内部構成例を示す図である。
【図６】基準チャートの例を示す図である。
【図７】第２画像データ処理装置の内部構成例を示す図である。
【図８】画像データを再利用する場合の動作にかかる処理例を示すシーケンス図（その２）である。
【符号の説明】
【０２８３】
１００    デジタル画像処理装置
１        読み取り装置
２        第１画像データ処理装置
２１      γ変換部
２２      フィルタ処理部
２３      色変換部
２４      変倍処理部
３        バス制御装置
４        第２画像データ処理装置
４１      フィルタ処理部
４２      色変換部
４３      変倍処理部
４４      階調処理部
５        ＨＤＤ
６        ＣＰＵ
７        メモリ
８        プロッタＩ／Ｆ装置
９        プロッタ装置
１０      操作表示装置
１１      回線Ｉ／Ｆ装置
１２      外部Ｉ／Ｆ装置
１３      ＳＢ
１４      ＲＯＭ
１５      ＦＡＸ
１６      ＰＣ
１７      外部メディア
【図１】
2008048046.tif 000003
【図２】
2008048046.tif 000004
【図３】
2008048046.tif 000005
【図４】
2008048046.tif 000006
【図５】
2008048046.tif 000007
【図６】
2008048046.tif 000008
【図７】
2008048046.tif 000009
【図８】
2008048046.tif 000010